(57)【特許請求の範囲】
【請求項１】
縦長の吸収性コアを含む吸収体を具備し、着用者の腹側に配される腹側部、股間部に配される股下部及び背側に配される背側部を有する使い捨ておむつであって、
前記吸収性コアは、股下部における幅方向中央部に高坪量部を有し、該高坪量部の両側に該高坪量部より低坪量の低坪量部を有しており、
前記高坪量部の幅方向中央部に、吸収性コアの長手方向に延びる非積繊部からなる中央折曲誘導部を有し、前記低坪量部それぞれに、非積繊部からなる側部折曲誘導部を有し、該側部折曲誘導部は、前記高坪量部の側縁に沿って延びており、
前記吸収性コアは、繊維材料からなる繊維集合体に吸水性ポリマーの粒子を保持させてなるものであり、前記中央折曲誘導部としての前記非積繊部は、該吸収性コアに、前記高坪量部を貫通する縦長の貫通孔を形成してなり、
前記吸収体は、その全体がコアラップシートで被覆されており、
前記吸収性コアの長手方向における前記腹側部側においては、前記中央折曲誘導部が、前記側部折曲誘導部の端部位置より延出しており、
前記吸収性コアの長手方向における前記背側部側においては、前記側部折曲誘導部が、前記中央折曲誘導部の端部位置より延出している使い捨ておむつ。
【請求項２】
前記高坪量部は、前記中央折曲誘導部と前記側部折曲誘導部とが並列している領域から、前記腹側部側に向かって幅が拡大している請求項１に記載の使い捨ておむつ。
【請求項３】
前記中央折曲誘導部は、前記腹側部側の端部が該腹側部に達していない請求項１又は２に記載の使い捨ておむつ。
【請求項４】
前記側部折曲誘導部は、前記中央折曲誘導部の背側部側の端部の位置からの延出長さＬ６が、２０〜１２０ｃｍである、請求項１〜３の何れか１項に記載の使い捨ておむつ。
【請求項５】
前記中央折曲誘導部は、着用者の大便排泄部の位置より背側部側に延びておらず、前記側部折曲誘導部は、着用者の大便排泄部の位置より背側部側に延びている、請求項１〜４の何れか１項に記載の使い捨ておむつ。
【発明の詳細な説明】
【技術分野】
【０００１】
本発明は、使い捨ておむつに関する。
【背景技術】
【０００２】
従来、使い捨ておむつの吸収体としては、解繊パルプ等の繊維材料からなる繊維集合体やこれに吸水性ポリマー等の機能性材料を保持させたもの等からなる吸収性コアを、薄紙や透水性の不織布等からなるコアラップシートで被覆したものが汎用されている。
また、吸収体は、変形性を高めてフィット性や漏れ防止性を高めるために、吸収性コアにスリットや部分的にコアの形成材料が存在しない部分を設ける技術も種々提案されている。
例えば、特許文献１には、前胴周り域及び後胴周り域を有するシャーシと、前胴周り域から後胴周り域にわたって配される吸収体とを備え、前記吸収体を構成する吸収性コアに、中央低剛性部及び一対の側方低剛性部を設けた吸収性物品が記載されている。
また、特許文献２，３にも、使い捨ておむつの吸収性コアに、コアの形成材料が存在しない部分や細長形状の孔部を３本並列に形成することが開示されている。
【先行技術文献】
【特許文献】
【０００３】
【特許文献１】国際公開第２００８／０６９２７９号
【特許文献２】実開平０２−０１０８２４号公報
【特許文献３】特開２００８−２８４１９０号公報
【発明の概要】
【発明が解決しようとする課題】
【０００４】
特許文献１の吸収性物品においては、股下部における吸収性コアが幅方向断面形状がＷ字状になるように屈曲することが記載されている。しかし、中央低剛性部が、シャーシの前胴周り域から後胴周り域に亘る長い長さを有するため、肌と吸収性物品の肌当接面との間に大便を保持する空間が形成されにくくなり、大便が肌に密着して不快感を与えたり、背中側から漏れ出し易くなる等の問題がある。
【０００５】
特許文献２に記載の、コアの形成材料が存在しない部分を３本並列に形成する技術においても、その３本は、腹側部側の端部が横一列に揃っており、また背側部側の端部も横一列に揃っている。そのため、大便の排泄部付近に、大便を保持する凹状の空間が形成されにくく、また、コアの形成材料が存在しない部分を用いて液を腹側部側に拡散させようとすると、腹側部やその近傍において液が側方から漏れ出し易くなる。
特許文献３に記載の技術においては、吸収性コアの長手方向の腹側部側において、幅方向中央の細長形状の孔部に比して、その両側の２つの孔部が延出している。そのため、それらを用いて液を腹側部側に拡散させようとすると、腹側部やその近傍において液が側方から漏れ出し易くなる。
【０００６】
従って、本発明の課題は、尿及び大便の漏れ防止性に優れており、大便が肌に密着することによる不快感等も生じ難い使い捨ておむつを提供することにある。
【課題を解決するための手段】
【０００７】
本発明は、縦長の吸収性コアを含む吸収体を具備し、着用者の腹側に配される腹側部、股間部に配される股下部及び背側に配される背側部を有する使い捨ておむつであって、前記吸収性コアは、股下部における幅方向中央部に高坪量部を有し、該高坪量部の両側に該高坪量部より低坪量の低坪量部を有しており、前記高坪量部に、吸収性コアの長手方向に延びるスリット、溝又は非積繊部からなる中央折曲誘導部を有し、前記低坪量部それぞれに、非積繊部からなる側部折曲誘導部を有しており、前記吸収性コアの長手方向における前記腹側部側においては、前記中央折曲誘導部が、前記側部折曲誘導部の端部位置より延出しており、前記吸収性コアの長手方向における前記背側部側においては、前記側部折曲誘導部が、前記中央折曲誘導部の端部位置より延出している使い捨ておむつを提供するものである。
【発明の効果】
【０００８】
本発明によれば、尿及び大便の漏れ防止性に優れており、大便が肌に密着することによる不快感等も生じ難い使い捨ておむつが提供される。
【図面の簡単な説明】
【０００９】
【図１】図１は、本発明の一実施形態であるパンツ型使い捨ておむつを示す斜視図である。
【図２】図２は、図１に示すパンツ型使い捨ておむつの展開且つ伸長状態を肌当接面側から見た一部破断平面図である。パンツ型使い捨ておむつについての展開且つ伸長状態は、サイドシール部を引き剥がして、パンツ型使い捨ておむつを展開状態とし、その展開状態のおむつを、各部の弾性部材を伸長させて、設計寸法（弾性部材の影響を一切排除した状態で平面状に広げたときの寸法と同じ）となるまで拡げた状態をいう。
【図３】図３は、図２のＩＩＩ−ＩＩＩ線断面図である。
【図４】図４は、着用状態の使い捨ておむつにおける吸収性コアの幅方向の断面を示す模式図であり、図４（ａ）は、図２中に矢印Ｐ１で示す位置における断面、図４（ｂ）は、図２中の矢印Ｐ２で示す位置における断面を示す図である。
【発明を実施するための形態】
【００１０】
以下に、本発明をその好ましい実施形態に基づき図面を参照しながら説明する。
本発明の一実施形態である使い捨ておむつ１（以下、おむつ１ともいう）１は、いわゆるパンツ型のおむつであり、図１〜図３に示すように、液透過性の表面シート２、液不透過性又は撥水性の裏面シート３、及びこれら両シート２，３間に配された縦長の吸収体４を具備する吸収性本体５と、該吸収性本体５の非肌当接面側に位置して該吸収性本体５を固定している外包材１０とを備えている。吸収体４は、該吸収体４と同方向に長い吸収性コア４０を内部に含んでいる。
おむつ１は、図１及び図２に示すように、着用時に着用者の腹側に配される腹側部Ａ、股間部に配される股下部Ｃ及び背側に配される背側部Ｂを有している。外包材１０は、腹側部Ａの両側縁部と背側部Ｂの両側縁部とが接合されており、それによって、おむつ１に、一対のサイドシール部Ｓ，Ｓ、ウエスト開口部７及び一対のレッグ開口部８，８が形成されている。
【００１１】
パンツ型使い捨ておむつにおける腹側部Ａ及び背側部Ｂは、おむつの幅方向（図２中Ｙ方向）の両端にサイドシール部Ｓ，Ｓを有する部分である。おむつの長手方向は、腹側部Ａから股下部Ｃを経て背側部Ｂに亘る方向又はその逆方向であり、図２中のＸ方向である。本実施形態のおむつ１においては、おむつ１の長手方向、吸収体４の長手方向、吸収性コア４０の長手方向、及び後述する高坪量部４１の長手方向は、何れも図２中のＸ方向である。
【００１２】
おむつ１における吸収性コア４０は、図２及び図３に示すように、股下部Ｃにおける幅方向中央部に高坪量部４１を有し、該高坪量部４１の両側に該高坪量部４１より低坪量の低坪量部４２を有している。高坪量部４１は、おむつ１の長手方向に沿って延びている。詳述すると、吸収性コア４０は、図２に示すように、腹側部側の方が幅が広い平面視略Ｔ字状の上部吸収層４１１と、上部吸収層４１１より長手方向及び幅方向の寸法が大きい矩形状の下部吸収層４１２とを有しており、下部吸収層４１２上に上部吸収層４１１が積層されている部分が高坪量部４１、下部吸収層４１２上に上部吸収層４１１が積層されていない部分が低坪量部４２である。
上部吸収層４１１は、おむつ１の股下部Ｃから腹側部Ａに亘って配されており、上部吸収層４１１及び高坪量部４１は、何れも股下部Ｃのおむつ長手方向中央部付近から腹側部Ａに向かって幅が拡大（漸増）している。下部吸収層４１２は、股下部Ｃを縦断して腹側部Ａ及び背側部Ｂに亘っている。
【００１３】
おむつ１における吸収性コア４０は、図２に示すように、高坪量部４１の幅方向中央部に、中央折曲誘導部４３として、吸収性コア４０の長手方向に延びる非積繊部を有している。また、低坪量部４２，４２それぞれに、側部折曲誘導部４４，４４として、非積繊部を有している。側部折曲誘導部４４は、高坪量部４１の長手方向の側縁と吸収性コア４０の長手方向の側縁との間における高坪量部４１寄りの部位に形成されている。また、側部折曲誘導部４４は、高坪量部４１の側縁に沿って延びている。
【００１４】
本実施形態における吸収性コア４０は、上部吸収層４１１及び下部吸収層４１２が、それぞれ、解繊パルプ等の繊維材料からなる繊維集合体又はこれに吸水性ポリマーの粒子等の機能性材料を保持させてなるものからなる。また、吸収体４は、このような構成の上部吸収層４１１及び下部吸収層４１２の全体がコアラップシート４５で被覆されてなる。コアラップシートとしては、各種公知のものを用いることができ、例えばティッシュペーパのような薄紙や透水性の不織布等が好ましく用いられる。吸収体４は、上部吸収層４１１と下部吸収層４１２とを、それぞれ別々にコアラップシートで被覆した後、両者を積層したものであっても良い。この場合、上部吸収層４１１を被覆するコアラップシートと下部吸収層４１２を被覆するコアラップシートとの間は接着しても接着しなくても良い。
非積繊部は、吸収性コアを形成する材料（コア形成材料）が存在しない部分であるが、低坪量部４２より少ない量のコア形成材料が２０ｇ／ｍ2程度に若干存在している場合も、同様な効果を奏しうるから非積繊部に含める。但し、非積繊部に存するコア形成材料の坪量は５０ｇ／ｍ2以下であることが好ましい。
【００１５】
中央折曲誘導部４３としての非積繊部は、図２及び図３に示すように、上部吸収層４１１及び下部吸収層４１２に、両者を貫通する縦長矩形状の貫通孔を形成してなる。
上部吸収層４１１及び下部吸収層４１２の両者を貫通する貫通孔は、上部吸収層４１１及び下部吸収層４１２を、それぞれ貫通孔を有するものとして製造した後、両吸収層を、両者の貫通孔どうしが重なるように積層してなる。これに代えて、上部吸収層４１１及び下部吸収層４１２をそれぞれ貫通孔を有しないものとして製造した後、そのそれぞれに貫通孔を形成し、次いで両吸収層を、両者の貫通孔どうしが重なるように積層してなるものであっても良い。更に、上部吸収層４１１及び下部吸収層４１２をそれぞれ貫通孔を有しないものとして製造した後、両吸収層を重ね、次いで、両者を貫通する貫通孔を一体的に形成したものであっても良い。
【００１６】
本実施形態における上部吸収層４１１の貫通孔と下部吸収層４１２の貫通孔とは、平面視形状及びおむつの平面方向の配置位置が一致しているが、両吸収層で、貫通孔の長さが異なっていたり、配置位置が吸収性コアの長手方向にずれていても良い。その場合、２つの貫通孔のうち、肌当接面側に位置する貫通孔の両端部の位置が、中央折曲誘導部４３の両端部の位置である。
【００１７】
本発明における中央折曲誘導部４３及び側部折曲誘導部４４，４４は、吸収性コア４０の幅方向の屈曲性を高めるものである。
中央折曲誘導部４３としては、吸収性コア４０に、非積繊部に代えて、吸収性コア４０の長手方向に延びるスリットや、吸収性コア４０の長手方向に延びる溝を形成しても良い。また、上部吸収層４１１と下部吸収層４１２とを有する多層構造の吸収性コア４０においては、上部吸収層４１１にスリットを設ける一方、下部吸収層４１２に非積繊部（平面視縦長矩形状の貫通孔）を設けて、そのスリットと非積繊部を重ねても良いし、上部吸収層４１１に非積繊部（平面視縦長矩形状の貫通孔）に設ける一方、下部吸収層４１２にスリットを形成して、その非積繊部とスリットとを重ねても良い。
スリットとは、非積繊部であり比較的に幅が狭い形状の貫通孔である。
【００１８】
また、中央折曲誘導部４３としての溝としては、例えば、平面視縦長矩形状の貫通孔を形成した上部吸収層４１１を、貫通孔を有しない下部吸収層４１２上に積層して形成した溝や、繊維集合体やこれに機能性材料を保持させてなる単層構造の吸収性コアにエンボス加工により形成したエンボス溝等を挙げることができる。エンボス加工は、熱エンボス加工、超音波エンボス、高周波エンボス等が好ましい。
【００１９】
本実施形態のおむつ１における吸収体４は、図２に示すように、股下部Ｃにおける吸収性コア４０に、中央折曲誘導部４３と一対の側部折曲誘導部４４，４４とが吸収性コア４０の長手方向に並列している領域Ｒ１（以下、並列領域Ｒ１ともいう）を有している。
そして、吸収性コア４０の長手方向における腹側部Ａ側においては、中央折曲誘導部４３が、側部折曲誘導部４４それぞれの端部４４ａ，４４ａの位置より腹側部Ａ側に延出しており、吸収性コア４０の長手方向における背側部Ｂ側においては、側部折曲誘導部４４，４４が、それぞれ、中央折曲誘導部４３の端部４３ｂの位置より背側部Ｂ側に延出している。
【００２０】
股下部Ｃにおける吸収性コア４０が並列領域Ｒ１を有することにより、図４（ａ）に示すように、おむつ着用時に、並列領域Ｒ１における吸収性コア４０が、中央折曲誘導部４３が山部、側部折曲誘導部４４，４４が谷部となるように、Ｗ字状に屈曲する。
股下部Ｃにおいて吸収性コア４０がＷ字状に屈曲することにより、吸収性コア４０が、着用者の脚Ｅより加えられる圧力に対して柔軟に変形し、脚に加わる圧力やそれによる抵抗感や違和感等が軽減される。また、吸収性コア４０の幅方向における側部折曲誘導部４４より外方の側部部分４６が起立してその端部が着用者の肌、好ましくは鼠蹊部に沿って位置することにより、良好な横漏れ防止性も得られる。
【００２１】
また、吸収性本体５における中央折曲誘導部４３を有する部分が、着用者の排尿部に密着しやすくなるため、尿が吸収体４や吸収性コア４０内にスムーズに吸収される。そのため、尿が肌上や表面シート上を流れて前方から漏れ出したり、後方に流れた尿が大便と混ざって大便が肌に付着し易くするといったことを防止することができる。
【００２２】
しかも、吸収性コア４０の長手方向における腹側部Ａ側において、高坪量部４１に形成された中央折曲誘導部４３が側部折曲誘導部４４の端部４４ａの位置より延出しているため、前述した並列領域Ｒ１やその腹側部側の近傍で、吸収体４や吸収性コア４０内に取り込まれた尿が、腹側部Ａ側に向かって拡散し、吸収性コア４０の並列領域Ｒ１よりも腹側部Ａ側に位置する部分の吸収能力も有効に活用される。これにより、おむつ１が、漏れを生じることなく吸収できる尿の量が増大し、長時間の着用や排尿量が多い場合等にも尿漏れが生じにくくなる。しかも、吸収体４や吸収性コア４０内に取り込まれて尿が拡散するので肌と尿の接触による湿潤感やかぶれ等の問題も軽減できる。
【００２３】
また、側部折曲誘導部４４は、吸収性コア４０における、側部折曲誘導部４４より幅方向の外方に位置する側部部分４６を、図４（ａ）や図４（ｂ）に示すように、その外端部が着用者の肌に近づくように起立させるもの、好ましくは着用者の鼠蹊部に向かって起立させ得るものあるが、側部折曲誘導部４４があまり前方まで延びていると、吸収性コア４０の側部部分が着用者の肌や鼠蹊部にきれいに沿いにくくなる。本発明のおむつにおいては、中央折曲誘導部４３を側部折曲誘導部４４の腹側部Ａ側の端部４４ａの位置より延出させているため、吸収性コア４０の側部部分４６が着用者の肌や鼠蹊部にきれいに沿った状態となり、外観や着用感、漏れ防止性にも優れている。
【００２４】
このような効果を一層確実に得る観点から、吸収性コア４０の長手方向における前記並列領域Ｒ１の長さＬ１（図２参照）は、股下部Ｃのおむつ長手方向の長さＬｃ（図２参照）の２０〜８０％であることが好ましく、より好ましくは２０〜６０％であり、更に好ましくは２０〜５０％である。
また、同様の観点から、中央折曲誘導部４３は、側部折曲誘導部４４の腹側部側の端部４４ａの位置からの延出長さＬ２（図２参照）が、５〜４０ｃｍであることが好ましく、より好ましくは１０〜３０ｃｍである。また、股下部Ｃの前記長さＬｃとの関係で言えば、前記延出長さＬ２は、股下部Ｃの前記長さＬｃの２〜１５％であることが好ましく、より好ましくは３〜１２％である。
【００２５】
また、中央折曲誘導部４３は、その腹側部側の端部４３ａが該腹側部Ａに達していても良いが、腹側部Ａまでは達していない方が、装着時の外観やはき心地の点から好ましい。同様の観点から、中央折曲誘導部４３の腹側部側の端部４３ａは、腹側部Ａからの離間距離Ｌ３（図２参照）が、５ｃｍ以上であることが好ましく、より好ましくは１０〜２０ｃｍである。また、同様の観点から、中央折曲誘導部４３の腹側部側の端部４３ａは、腹側部Ａ側のウエスト部端７ａからの離間距離Ｌ４（図２参照）が、おむつの全長Ｌ（図２参照）の１０〜４０％であることが好ましく、より好ましくは１５〜３５％である。
【００２６】
また、側部折曲誘導部４４の腹側部側の端部４４ａの位置は、腹側部Ａからの距離Ｌ５（図２参照）が、股下部Ｃの前記長さＬｃ（図２参照）の５〜２０％であることが好ましく、より好ましくは１０〜１５％である。
【００２７】
また、おむつ１においては、前述したように、吸収性コア４０の長手方向における背側部Ｂ側においては、側部折曲誘導部４４，４４が、それぞれ、中央折曲誘導部４３の端部４３ｂの位置より延出している。そのため、おむつ長手方向における並列領域Ｒ１より背側部Ｂ側の吸収性コア４０が、おむつ着用時に、図４（ｂ）に示すように、中央折曲誘導部４３において屈曲することなく側部折曲誘導部４４，４４で屈曲する。したがって、並列領域Ｒ１より後方の大便の排泄部（肛門）付近に、吸収性コア４０が肌側にむかって凹状に屈曲した部分が生じ、それにより、着用者の肌と吸収性本体との間に大便を良好に保持可能な上向きのポケットＰが形成される。しかも、尿については、並列領域Ｒ１及びそれより前方に中央折曲誘導部４３が存在することによって、吸収体４ないし吸収性コア４０に速やかに吸収されるとともに前方に誘導されるため、尿が大便と混ざりにくくなっている。
これにより、大便が肌に密着することによる不快感や肌に付着した大便の拭き取り作業の労力等が防止ないし大幅に軽減される。また、大便の漏れ防止性にも優れている。
【００２８】
このような効果を一層確実に得る観点から、側部折曲誘導部４４は、中央折曲誘導部４３の背側部側の端部４３ｂの位置からの延出長さＬ６（図２参照）が、２０〜１２０ｃｍであることが好ましく、より好ましくは４０〜１００ｃｍである。また、股下部Ｃの前記長さＬｃとの関係で言えば、前記延出長さＬ６は、該長さＬｃの７〜４３％であることが好ましく、より好ましくは１４〜３６％である。
【００２９】
また、側部折曲誘導部４４は、背側部側の端部４４ｂが該背側部Ｂに達していても良いが、背側部Ｂまでは達していない方が、股下部Ｃにおいて、吸収性コア４０の側部部分４６が着用者の肌や鼠蹊部にきれいに沿った状態となるため好ましい。
大便の排泄部付近に、大便を良好に保持し得る凹状のポケットＰを形成させる観点から、側部折曲誘導部４４は、着用者の大便排泄部（肛門）の位置より背側部Ｂ側に延びていることが好ましい。他方、中央折曲誘導部４３は、着用者の大便排泄部（肛門）の位置より背側部Ｂ側に延びていないことが好ましく、中央折曲誘導部４３の背側部Ｂ側の端部４３ｂが、大便の排泄部の位置より腹側部側にあることが好ましい。
また、同様の観点から、中央折曲誘導部４３の背側部側の端部４３ｂは、背側部Ｂからの離間距離Ｌ７（図２参照）が、８０〜１５０ｃｍであることが好ましく、より好ましくは１００〜１３０ｃｍである。また、同様の観点から、中央折曲誘導部４３の背側部側の端部４３ｂは、背側部Ｂ側のウエスト部端７ｂからの離間距離Ｌ８（図２参照）が、おむつの全長Ｌ（図２参照）の３０〜６０％であることが好ましく、より好ましくは４０〜５０％である。
【００３０】
また、側部折曲誘導部４４の背側部側の端部４４ｂの位置は、背側部Ｂからの距離Ｌ９（図２参照）が、股下部Ｃの前記長さＬｃ（図２参照）の５〜２５％であることが好ましく、より好ましくは１０〜２０％である。
【００３１】
また、前述した一又は二以上の効果をより確実に得る観点から、折曲誘導部４４の外側縁と吸収性コア４０の側縁との間の幅Ｗ１（図３参照）は、吸収性コア４０の幅Ｗ２（図３参照）の１０〜２５％であることが好ましく、より好ましくは１５〜２３％である。また、高坪量部４１の幅Ｗ３（図３参照）は、吸収性コア４０の幅Ｗ２の２０〜５０％であることが好ましく、より好ましくは２５〜４５％である。また、中央折曲誘導部４３となる非積繊部の幅Ｗ４は、高坪量部４１の幅Ｗ３の５〜３０％であることが好ましく、より好ましくは５〜２５％である。中央折曲誘導部４３となる非積繊部の幅Ｗ４は、１〜２０ｍｍであることが好ましく、より好ましくは２〜１０ｍｍである。この幅Ｗ４が２ｍｍ未満の場合はスリットと把握することもできる。これらの各部の幅や相互間の関係は、それぞれ、少なくとも股下部Ｃの長手方向中央部において満たしていることが好ましく、股下部Ｃの長手方向中央部を中心として、吸収性コアの長手方向の５ｃｍ以上の範囲に亘って満たしていることが好ましい。
【００３２】
本実施形態のおむつ１は、図２及び図３に示すように、吸収性コア４０の長手方向の両側縁部に沿って、吸収性コア４０の側部部分４６を立ち上げるための弾性部材９が配されている。弾性部材９は、吸収性コア４０を被覆するコアラップシート４５の内面及び／又は外面に沿って伸長状態で配されており、腹側部Ａ及び背側部Ｂに両端部が固定されている。
また、吸収性本体５の両側には、防漏カフ６，６が形成されている。防漏カフ６は、吸収性本体５に接合された防漏カフ形成用シート６０、防漏カフ形成用シート６０の自由端近傍に伸長状態で固定された防漏カフ形成用の弾性部材６１、及び防漏カフ６の固定端と自由端との間に伸長状態で固定された防漏カフ中間弾性部材６２を備えている。
図２に示す例では、防漏カフ形成用シート６０として、所定幅の帯状の撥水性シートの１枚を、その長手方向に沿って二つ折りして、相対向する層間をホットメルト型接着剤又は部分的な熱シール若しくは超音波シール等で接合した２層構造のシートを用いており、前述した弾性部材６１，６２は、この２層構造シートの層間に伸長状態で固定されている。
【００３３】
また、表面シート２は、吸収性コア４０の肌当接面側を被覆するとともに、その両側端部２１，２１が、吸収性コア４０の非肌当接面側において、裏面シート３及び防漏カフ形成用シート６０にヒートシール等の接着剤等の公知の接合手段により接合固定されている。
【００３４】
外包材１０は、図２、図３に示すように、２枚の外包材形成用シート１１，１２と、これら２枚のシート間に伸長状態で固定された各部の弾性部材とからなる。即ち、２枚の外包材形成用シート１１，１２間には、ウエスト開口部７の周縁部にウエストギャザーを形成するウエスト部弾性部材７１，レッグ開口部８の周縁部にレッグギャザーを形成するレッグ部弾性部材８１，及び胴回り部Ｄ（ウエスト開口部７の周縁端から下方に２０ｍｍ離間した位置からレッグ開口部８の上端までの領域）に左右に分割された状態の胴回りギャザーを形成する胴回り弾性部材９１が、それぞれ伸長状態で、ホットメルト型接着剤等の任意の接合手段により接合固定されている。
外包材形成用シート１１，１２は、何れも不織布から構成されている。これら２枚のシートのうちの一方又は双方は、ウエスト開口部７の周縁部において折り返され、その折り返された部分が、吸収性本体５の前後端における該吸収性本体５の肌当接面側に固定されている。
【００３５】
並列領域Ｒ１においては、吸収性コア４０を、図４（ａ）に示すような断面Ｗ字状に変形させ、並列領域Ｒ１より後方においては、吸収性コア４０を、図４（ｂ）に示すような断面形状に変形させる観点からは、例えば、前述した弾性部材９及び弾性部材６１，６２のように、吸収性本体５の両側部や、一部が吸収性本体５の両側部と重なるように設けられた防漏カフ６等に、吸収性コア４０の側部部分４６を引き上げるか又は押し上げ得るような作用を有する弾性部材を配置することが好ましい。
但し、吸収性コア４０の長手方向に沿う弾性部材がなくても、おむつを装着する際におむつの腹側部Ａの幅方向中央部を掴んで引き上げる力や、着用時に股下部Ｃの両側に加わる、着用者の大腿からの力により、吸収性コア４０は、図４（ａ）や図４（ｂ）に示すような形態に変形し得る。そのため、吸収性コア４０の長手方向に沿う弾性部材が存在することは必須ではない。
【００３６】
おむつ１の形成材料について説明する。
おむつ１の各部の形成材料としては、従来の使い捨ておむつの当該部分に用いられる各種のものを特に制限なく用いることができる。例えば、表面シート２としては、親水性且つ液透過性の不織布、樹脂フィルムに開孔を形成したもの等を用いることができ、裏面シート３としては、透湿性又は非透湿性の樹脂フィルムや該樹脂フィルムと不織布の積層体等を用いることができる。
吸収性コア４０を構成する繊維集合体を構成する繊維としては、例えば、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。繊維集合体は、空気流に載せて供給した繊維材料を、所定形状の凹部内に吸引して堆積させる積繊工程を経て得られるものが好ましい。繊維材料とともに機能性材料を混合積繊したものであっても良い。機能性材料の保持形態は、２枚の繊維集合体間に挟んで保持する形態や、混合積繊して繊維間に保持させた状態等が挙げられる。繊維及び吸水性ポリマー等の機能性材料は、それぞれ、一種又は二種以上を組み合わせて用いることができる。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等からなる粒子等が挙げられる。
【００３７】
防漏カフ形成用シート６０としては、スパンボンド・メルトブローン・スパンボンド等からなる多層構造の複合不織布、スパンボンド不織布、ヒートボンド不織布、エアスルー不織布等を用いることができる。各部に配される弾性部材の形態は、糸状のもの（糸ゴム等）、所定幅の帯状のもの（平ゴム等）等が好ましく、特に糸状のものが好ましい。各部に配される弾性部材の素材としては、天然ゴム、スチレン−ブタジエン、ブタジエン、イソプレン、ネオプレン等の合成ゴム、ＥＶＡ、伸縮性ポリオレフィン、ウレタン等を挙げることができる。
【００３８】
以上、本発明の好ましい実施形態について説明したが、本発明は、上述した実施形態に制限されず、本発明の趣旨を逸脱しない範囲で種々変更が可能である。
【００３９】
例えば、本発明の使い捨ておむつは、外包材が、着用者の背側に配される背側シート部材と腹側に配される腹側シート部材とに分割されており、背側シート部材と腹側シート部材とが一対のサイドシール部で接合されて筒状をなしているとともに、吸収性本体が、背側シート部材と腹側シート部材との間に架け渡して固定されている外包材分割タイプのパンツ型使い捨ておむつであっても良い。また、背側部にファスニングテープを有し、該ファスニングテープを腹側部の外面に設けたランディングテープに止着して装着する、いわゆる展開型の使い捨ておむつであっても良い。展開型の使い捨ておむつにおいては、両側縁に、脚廻りの形状に適合するように凹状の切り欠き部を形成した部分を股下部とし、その前後に位置する部分が背側部及び腹側部である。
【００４０】
また、上述した実施形態のおむつ１における弾性部材９を省略することもでき、防漏カフ６，６に配する弾性部材６２や防漏カフ自体を省略することもできる。また、吸収性本体５に、吸収性コア４０の長手方向の両側縁それぞれの外方に延出する一対の側部ギャザーを形成し、該側部ギャザーに配した弾性部材を、吸収性コア４０の側部部分を立ち上げる弾性部材として利用しても良い。
また、高坪量部は、単層構造の吸収性コアの一部に設けた肉厚部分であっても良い。また、中央折曲誘導部となるスリット、溝又は非積繊部、及び側部折曲誘導部となる非積繊部は、連続線状のものに代えて、部分的に不連続な部分を有するものであっても良い。
【符号の説明】
【００４１】
１  使い捨ておむつ
２  表面シート
３  裏面シート
４  吸収体
４０  吸収性コア
４１  高坪量部
４２  低坪量部
４１１  上部吸収層
４１２  下部吸収層
４２  サイド吸収体
４３  非積繊部（中央折曲誘導部）
４４  非積繊部（側部折曲誘導部）
５  吸収性本体
６  防漏カフ
７  ウエスト開口部
８  レッグ開口部
１０  外包材
Ａ  腹側部
Ｂ  背側部
Ｃ  股下部
Ｓ  サイドシール部
【図１】
0005548056.tif 000002
【図２】
0005548056.tif 000003
【図３】
0005548056.tif 000004
【図４】
0005548056.tif 000005